【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
医用画像診断装置によって得られた診断用画像データの供給を行なう画像サーバと、前記画像サーバから供給された前記診断用画像データを表示する画像ビューアがネットワークを介して接続された画像データ供給システムであって、
前記画像サーバは、
各種の基準画像データとその識別情報を保管する第１の基準画像データ保管手段と、
前記診断用画像データと前記第１の基準画像データ保管手段から抽出した第１の基準画像データとの差分処理により差分データを生成する差分データ生成手段と、
前記第１の基準画像データの識別情報と前記差分データを前記画像ビューアへ送信するデータ送信手段を備え、
前記画像ビューアは、
各種の基準画像データとその識別情報を保管する第２の基準画像データ保管手段と、
前記画像サーバから供給される前記第１の基準画像データの識別情報に基づいて前記第２の基準画像データ保管手段から抽出した第２の基準画像データと前記画像サーバから供給される前記差分データとの加算処理により前記診断用画像データを復元する画像データ復元手段と、
復元された前記診断用画像データを表示する画像データ表示手段とを
備えたことを特徴とする画像データ供給システム。
【請求項２】
前記画像サーバはデータ選択手段を備え、前記データ選択手段は、前記診断用画像データの付帯情報に基づいて前記第１の基準画像データ保管手段から抽出された基準画像データ群の各々と前記診断用画像データとの差分処理によって生成された差分データ群の中から最小のデータ量を有する差分データを選択し、前記データ送信手段は、選択された前記差分データの生成に関与した基準画像データの識別情報を前記第１の基準画像データの識別情報として前記差分データと共に前記画像ビューアへ送信することを特徴とする請求項１記載の画像データ供給システム。
【請求項３】
前記診断用画像データ及び前記基準画像データ群の各々は、撮影条件あるいは画像データ生成条件の少なくとも何れかを前記付帯情報として有していることを特徴とする請求項２記載の画像データ供給システム。
【請求項４】
前記画像サーバはデータ選択手段を備え、前記第１の基準画像データ保管手段にて保管された基準画像データのサムネールデータと前記診断用画像データのサムネールデータとの差分処理結果に基づいて前記第１の基準画像データを特定し、前記データ送信手段は、
前記第１の基準画像データの識別情報と前記第１の基準画像データに基づいて生成された前記差分圧縮データを前記画像ビューアへ送信することを特徴とする請求項１記載の画像データ供給システム。
【請求項５】
医用画像診断装置によって得られた診断用画像データの保管と供給を行なう画像サーバと、前記画像サーバから供給された前記診断用画像データを表示する画像ビューアがネットワークを介して接続された画像データ供給システムであって、
前記画像サーバは、
各種の基準画像データとその識別情報を保管する第１の基準画像データ保管手段と、
前記診断用画像データと前記第１の基準画像データ保管手段から抽出した第１の基準画像データとの差分処理により差分データを生成する差分データ生成手段と、
前記第１の基準画像データの識別情報をダミー識別情報へ変換する識別情報変換手段と、
前記ダミー識別情報と前記差分データを前記画像ビューアへ送信するデータ送信手段を備え、
前記画像ビューアは、
各種の基準画像データとその識別情報を保管する第２の基準画像データ保管手段と、
前記画像サーバから供給される前記ダミー識別情報を前記第１の基準画像データの識別情報へ逆変換する識別情報逆変換手段と、
逆変換された前記識別情報に基づいて前記第２の基準画像データ保管手段から抽出した第２の基準画像データと前記画像サーバから供給される前記差分データとの加算処理により前記診断用画像データを復元する画像データ復元手段と、
復元された前記診断用画像データを表示する画像データ表示手段とを
備えたことを特徴とする画像データ供給システム。
【請求項６】
前記画像サーバの前記差分データ生成手段によって生成された差分データを圧縮処理して差分圧縮データを生成するデータ圧縮手段と、前記画像サーバから供給される前記差分圧縮データを伸張処理して前記差分データを復元するデータ伸張手段を備え、前記データ送信手段は、前記第１の基準画像データの識別情報と前記差分圧縮データを前記画像ビューアへ送信し、前記画像データ復元手段は、前記画像サーバから供給される前記第１の基準画像データの識別情報に基づいて前記第２の基準画像データ保管手段から抽出した第２の基準画像データと復元された前記差分データとの加算処理により前記診断用画像データを復元することを特徴とする請求項１又は請求項５に記載した画像データ供給システム。
【請求項７】
前記画像サーバはデータ選択手段を備え、前記データ選択手段は、前記診断用画像データの付帯情報に基づいて前記第１の基準画像データ保管手段から抽出された基準画像データ群の各々と前記診断用画像データとの差分処理に基づいて前記データ圧縮手段が生成した差分圧縮データ群の中から最小のデータ量を有する差分圧縮データを選択し、前記データ送信手段は、選択された前記差分圧縮データの生成に関与した基準画像データの識別情報を前記第１の基準画像データの識別情報として前記差分圧縮データと共に前記画像ビューアへ送信することを特徴とする請求項６記載の画像データ供給システム。
【請求項８】
前記第２の基準画像データ保管手段は、前記第１の基準画像データ保管手段が保管する基準画像データと同一の基準画像データに同一の識別情報を付加して保管することを特徴とする請求項１又は請求項５に記載した画像データ供給システム。
【請求項９】
前記基準画像データは、過去に収集された標準的な画像データ、同一の撮影条件や画像データ生成条件において収集された複数の画像データの平均データ、あるいは、ＣＧ（Computer Graphics）技術によって生成されたダミー画像データの何れかであることを特徴とする請求項１又は請求項５に記載した画像データ供給システム。
【請求項１０】
第２の施設から供給された第１の診断用画像データにその読影結果を重畳して生成した第２の診断用画像データを前記第２の施設へ送信する第１の施設の画像サーバと前記第１の施設から供給された前記第２の診断用画像データを表示する前記第２の施設の画像ビューアがネットワークを介して接続された画像データ供給システムであって、
前記画像サーバは、
前記第１の診断用画像データと前記第２の診断用画像データとの差分処理により差分データを生成する差分データ生成手段と、
前記第１の診断用画像データの識別情報をダミー識別情報へ変換する識別情報変換手段と、
前記ダミー識別情報と前記差分データを前記画像ビューアへ送信するデータ送信手段を備え、
前記画像ビューアは、
前記画像サーバから供給される前記ダミー識別情報を前記第１の診断用画像データの識別情報へ逆変換する識別情報逆変換手段と、
逆変換された前記識別情報に基づく前記第１の診断用画像データと復元された前記差分データとの加算処理により前記第２の診断用画像データを復元する画像データ復元手段と、
復元された前記第２の診断用画像データを表示する画像データ表示手段とを
備えたことを特徴とする画像データ供給システム。
【請求項１１】
前記差分データ生成手段によって生成された差分データを圧縮処理して差分圧縮データを生成するデータ圧縮手段と、前記差分圧縮データを伸張処理して前記差分データを復元するデータ伸張手段を備え、前記データ送信手段は、前記ダミー識別情報の逆変換によって得られた前記第１の診断用画像データの識別情報に基づく第１の診断用画像データと復元された前記差分圧縮データとの加算処理により前記第２の診断用画像データを復元することを特徴とする請求項１０記載の画像データ供給システム。
【請求項１２】
医用画像診断装置によって得られた診断用画像データを、ネットワークを介して接続された画像ビューアへ供給する画像サーバであって、
前記診断用画像データを保管する画像データ保管手段と、
各種の基準画像データとその識別情報を保管する基準画像データ保管手段と、
前記画像データ保管手段から読み出した前記診断用画像データと前記基準画像データ保管手段から抽出した基準画像データとの差分処理により差分データを生成する差分データ生成手段と、
前記差分データを圧縮処理して差分圧縮データを生成するデータ圧縮手段と、
前記基準画像データの識別情報と前記差分圧縮データを前記画像ビューアへ送信するデータ送信手段とを
備えたことを特徴とする画像サーバ。
【請求項１３】
医用画像診断装置によって得られた診断用画像データを、ネットワークを介して接続された画像ビューアへ供給する画像サーバであって、
前記診断用画像データを保管する画像データ保管手段と、
各種の基準画像データとその識別情報を保管する基準画像データ保管手段と、
前記画像データ保管手段から読み出した前記診断用画像データと前記基準画像データ保管手段から抽出した基準画像データとの差分処理により差分データを生成する差分データ生成手段と、
前記基準画像データの識別情報と前記差分データを前記画像ビューアへ送信するデータ送信手段とを
備えたことを特徴とする画像サーバ。
【請求項１４】
医用画像診断装置によって得られた診断用画像データの供給を行なう画像サーバと、前記画像サーバから供給された前記診断用画像データを表示する画像ビューアがネットワークを介して接続された画像データ供給システムであって、
前記画像サーバは、
各種の基準画像データとその識別情報を保管する第１の基準画像データ保管手段と、
医用画像診断装置によって得られた診断用画像データと、前記第１の基準画像データ保管手段から抽出した第１の基準画像データとに基づいて、送信データを生成する送信データ生成手段と、
前記第１の基準画像データの識別情報と前記送信データとを前記画像ビューアへ送信するデータ送信手段と、
を備え、
前記画像ビューアは、
各種の基準画像データとその識別情報を保管する第２の基準画像データ保管手段と、
前記データ送信手段から送信される前記第１の基準画像データの識別情報に基づいて、前記第２の基準画像データ保管手段から第２の基準画像データを抽出し、抽出された当該第２の基準画像データと、前記データ送信手段から送信される前記送信データとに基づいて、前記診断用画像データを復元する画像データ復元手段と、
を備えたことを特徴とする画像データ供給システム。
【手続補正２】
【補正対象書類名】明細書
【補正対象項目名】００１３
【補正方法】変更
【補正の内容】
【００１３】
本発明は、上述の問題点に鑑みてなされたものであり、その目的は、診断用画像データの供給を効率よく行なうことである。
【手続補正３】
【補正対象書類名】明細書
【補正対象項目名】００１４
【補正方法】変更
【補正の内容】
【００１４】
前記課題を解決するために、請求項１に係る本発明の画像データ供給システムは、医用画像診断装置によって得られた診断用画像データの供給を行なう画像サーバと、前記画像サーバから供給された前記診断用画像データを表示する画像ビューアがネットワークを介して接続された画像データ供給システムであって、前記画像サーバは、各種の基準画像データとその識別情報を保管する第１の基準画像データ保管手段と、前記診断用画像データと前記第１の基準画像データ保管手段から抽出した第１の基準画像データとの差分処理により差分データを生成する差分データ生成手段と、前記第１の基準画像データの識別情報と前記差分データを前記画像ビューアへ送信するデータ送信手段を備え、前記画像ビューアは、各種の基準画像データとその識別情報を保管する第２の基準画像データ保管手段と、前記画像サーバから供給される前記第１の基準画像データの識別情報に基づいて前記第２の基準画像データ保管手段から抽出した第２の基準画像データと前記画像サーバから供給される前記差分データとの加算処理により前記診断用画像データを復元する画像データ復元手段と、復元された前記診断用画像データを表示する画像データ表示手段とを備えたことを特徴としている。
【手続補正４】
【補正対象書類名】明細書
【補正対象項目名】００１５
【補正方法】変更
【補正の内容】
【００１５】
又、請求項５に係る本発明の画像データ供給システムは、医用画像診断装置によって得られた診断用画像データの保管と供給を行なう画像サーバと、前記画像サーバから供給された前記診断用画像データを表示する画像ビューアがネットワークを介して接続された画像データ供給システムであって、前記画像サーバは、各種の基準画像データとその識別情報を保管する第１の基準画像データ保管手段と、前記診断用画像データと前記第１の基準画像データ保管手段から抽出した第１の基準画像データとの差分処理により差分データを生成する差分データ生成手段と、前記第１の基準画像データの識別情報をダミー識別情報へ変換する識別情報変換手段と、前記ダミー識別情報と前記差分データを前記画像ビューアへ送信するデータ送信手段を備え、前記画像ビューアは、各種の基準画像データとその識別情報を保管する第２の基準画像データ保管手段と、前記画像サーバから供給される前記ダミー識別情報を前記第１の基準画像データの識別情報へ逆変換する識別情報逆変換手段と、逆変換された前記識別情報に基づいて前記第２の基準画像データ保管手段から抽出した第２の基準画像データと前記画像サーバから供給される前記差分データとの加算処理により前記診断用画像データを復元する画像データ復元手段と、復元された前記診断用画像データを表示する画像データ表示手段とを備えたことを特徴としている。
【手続補正５】
【補正対象書類名】明細書
【補正対象項目名】００１６
【補正方法】変更
【補正の内容】
【００１６】
更に、請求項１０に係る本発明の画像データ供給システムは、第２の施設から供給された第１の診断用画像データにその読影結果を重畳して生成した第２の診断用画像データを前記第２の施設へ送信する第１の施設の画像サーバと前記第１の施設から供給された前記第２の診断用画像データを表示する前記第２の施設の画像ビューアがネットワークを介して接続された画像データ供給システムであって、前記画像サーバは、前記第１の診断用画像データと前記第２の診断用画像データとの差分処理により差分データを生成する差分データ生成手段と、前記第１の診断用画像データの識別情報をダミー識別情報へ変換する識別情報変換手段と、前記ダミー識別情報と前記差分データを前記画像ビューアへ送信するデータ送信手段を備え、前記画像ビューアは、前記画像サーバから供給される前記ダミー識別情報を前記第１の診断用画像データの識別情報へ逆変換する識別情報逆変換手段と、逆変換された前記識別情報に基づく前記第１の診断用画像データと復元された前記差分データとの加算処理により前記第２の診断用画像データを復元する画像データ復元手段と、復元された前記第２の診断用画像データを表示する画像データ表示手段とを備えたことを特徴としている。
【手続補正６】
【補正対象書類名】明細書
【補正対象項目名】００１７
【補正方法】変更
【補正の内容】
【００１７】
一方、請求項１２に係る本発明の画像サーバは、医用画像診断装置によって得られた診断用画像データを、ネットワークを介して接続された画像ビューアへ供給する画像サーバであって、前記診断用画像データを保管する画像データ保管手段と、各種の基準画像データとその識別情報を保管する基準画像データ保管手段と、前記画像データ保管手段から読み出した前記診断用画像データと前記基準画像データ保管手段から抽出した基準画像データとの差分処理により差分データを生成する差分データ生成手段と、前記差分データを圧縮処理して差分圧縮データを生成するデータ圧縮手段と、前記基準画像データの識別情報と前記差分圧縮データを前記画像ビューアへ送信するデータ送信手段とを備えたことを特徴としている。
【手続補正７】
【補正対象書類名】明細書
【補正対象項目名】００１８
【補正方法】変更
【補正の内容】
【００１８】
又、請求項１３に係る本発明の画像サーバは、医用画像診断装置によって得られた診断用画像データを、ネットワークを介して接続された画像ビューアへ供給する画像サーバであって、前記診断用画像データを保管する画像データ保管手段と、各種の基準画像データとその識別情報を保管する基準画像データ保管手段と、前記画像データ保管手段から読み出した前記診断用画像データと前記基準画像データ保管手段から抽出した基準画像データとの差分処理により差分データを生成する差分データ生成手段と、前記基準画像データの識別情報と前記差分データを前記画像ビューアへ送信するデータ送信手段とを備えたことを特徴としている。
又、請求項１４に係る本発明の画像データ供給システムは、医用画像診断装置によって得られた診断用画像データの供給を行なう画像サーバと、前記画像サーバから供給された前記診断用画像データを表示する画像ビューアがネットワークを介して接続された画像データ供給システムであって、前記画像サーバは、各種の基準画像データとその識別情報を保管する第１の基準画像データ保管手段と、医用画像診断装置によって得られた診断用画像データと、前記第１の基準画像データ保管手段から抽出した第１の基準画像データとに基づいて、送信データを生成する送信データ生成手段と、前記第１の基準画像データの識別情報と前記送信データとを前記画像ビューアへ送信するデータ送信手段と、を備え、前記画像ビューアは、各種の基準画像データとその識別情報を保管する第２の基準画像データ保管手段と、前記データ送信手段から送信される前記第１の基準画像データの識別情報に基づいて、前記第２の基準画像データ保管手段から第２の基準画像データを抽出し、抽出された当該第２の基準画像データと、前記データ送信手段から送信される前記送信データとに基づいて、前記診断用画像データを復元する画像データ復元手段と、を備えたことを特徴とする。
【手続補正８】
【補正対象書類名】明細書
【補正対象項目名】００１９
【補正方法】変更
【補正の内容】
【００１９】
本発明によれば、診断用画像データの供給を効率よく行なうことができる。